【手続補正書】
【提出日】平成21年9月16日(2009.9.16)
【手続補正１】
【補正対象書類名】明細書
【補正対象項目名】特許請求の範囲
【補正方法】変更
【補正の内容】
【特許請求の範囲】
【請求項１】  所定の通信媒体を介してホストコンピュータから受信した印刷データに基づいて画像データを生成し、用紙の中央部を綴じる中綴じ処理が可能なオプション排紙装置が接続されている印刷装置に画像データを出力する画像処理装置であって、
前記印刷データに、当該画像処理装置内で前記印刷データのページ順を変更し該変更した複数ページ分の画像を用紙の片面毎に印刷するための画像データを生成する製本指定がされているか否かを判断する判断手段と、
前記判断手段により前記印刷データに前記製本指定がされていると判断された場合と前記印刷データに前記製本指定がされていないと判断された場合とで、異なる算出方法を用いて前記印刷装置で出力される前記印刷データの１部あたりの出力枚数を算出する算出手段と、
を有することを特徴とする画像処理装置。
【請求項２】  前記オプション排紙装置の前記中綴じ処理における出力可能枚数を保持する保持手段と、
前記保持手段により保持されているオプション排紙装置の中綴じ処理における出力可能枚数と、前記算出手段により算出された印刷データの１部あたりの出力枚数を比較する比較手段と、
前記比較手段による比較の結果、前記算出手段により算出された前記出力枚数が前記保持手段に保持される前記出力可能枚数を超える場合、出力用紙の排紙先として前記中綴じ処理を行う排紙先以外を選択するように制御する第１の制御手段と、
前記比較手段による比較の結果、前記算出手段により算出された前記出力枚数が前記保持手段に保持される前記出力可能枚数を超える場合、前記中綴じ処理のための用紙中央余白を出力画像に付加する中央余白処理を行わないように制御する第２の制御手段と、
を有することを特徴とする請求項１記載の画像処理装置。
【請求項３】  前記判断手段は、ホストコンピュータから受信した印刷データに、前記オプション排紙装置内で前記中綴じ処理を行う中綴じ指定がされている場合に、前記製本指定がされているか否かを判断することを特徴とする請求項１又は２に記載の画像処理装置。
【請求項４】  所定の通信媒体を介してホストコンピュータから受信した印刷データに基づいて画像データを生成し、用紙の中央部を綴じる中綴じ処理が可能なオプション排紙装置が接続されている印刷装置に画像データを出力する画像処理装置の制御方法であって、
前記画像処理装置に設けられたコンピュータが、前記印刷データに、前記画像処理装置内で前記印刷データのページ順を変更し該変更した複数ページ分の画像を用紙の片面毎に印刷するための画像データを生成する製本指定がされているか否かを判断する判断工程と、
前記画像処理装置に設けられたコンピュータが、前記判断工程により前記印刷データに前記製本指定がされていると判断された場合と前記印刷データに前記製本指定がされていないと判断された場合とで、異なる算出方法を用いて前記印刷装置で出力される前記印刷データの１部あたりの出力枚数を算出する算出工程と、
を有することを特徴とする画像処理装置の制御方法。
【請求項５】  前記画像処理装置に設けられたコンピュータが、前記画像処理装置に設けられたメモリに保持されている前記オプション排紙装置の前記中綴じ処理における出力可能枚数と、前記算出工程により算出された印刷データの１部あたりの出力枚数を比較する比較工程と、
前記画像処理装置に設けられたコンピュータが、前記比較工程での比較の結果、前記算出工程で算出された前記出力枚数が前記メモリに保持される前記出力可能枚数を超える場合、出力用紙の排紙先として前記中綴じ処理を行う排紙先以外を選択するように制御する選択工程と、
前記画像処理装置に設けられたコンピュータが、前記比較工程での比較の結果、前記算出工程で算出された前記出力枚数が前記メモリに保持される前記出力可能枚数を超える場合、前記中綴じ処理のための用紙中央余白を出力画像に付加する中央余白処理を行わないように制御するスキップ工程と、
を有することを特徴とする請求項４に記載の画像処理装置の制御方法。
【請求項６】  所定の通信媒体を介してホストコンピュータから受信した印刷データに基づいて画像データを生成し、用紙の中央部を綴じる中綴じ処理が可能なオプション排紙装置が接続されている印刷装置に画像データを出力する画像処理装置に設けられたコンピュータを、
前記印刷データに、当該画像処理装置内で前記印刷データのページ順を変更し該変更した複数ページ分の画像を用紙の片面毎に印刷するための画像データを生成する製本指定がされているか否かを判断する判断手段、
前記判断手段により前記印刷データに前記製本指定がされていると判断された場合と前記印刷データに前記製本指定がされていないと判断された場合とで、異なる算出方法を用いて前記印刷装置で出力される前記印刷データの１部あたりの出力枚数を算出する算出手段として機能させるためのプログラム。
【請求項７】  前記画像処理装置に設けられたコンピュータを、さらに、
前記画像処理装置に設けられたメモリに保持されている前記オプション排紙装置の前記中綴じ処理における出力可能枚数と、前記算出手段により算出された印刷データの１部あたりの出力枚数を比較する比較手段、
前記比較手段による比較の結果、前記算出手段により算出された前記出力枚数が前記メモリに保持される前記出力可能枚数を超える場合、出力用紙の排紙先として前記中綴じ処理を行う排紙先以外を選択するように制御する第１の制御手段、
前記比較手段による比較の結果、前記算出手段により算出された前記出力枚数が前記メモリに保持される前記出力可能枚数を超える場合、前記中綴じ処理のための用紙中央余白を出力画像に付加する中央余白処理を行わないように制御する第２の制御手段として機能させるための請求項６に記載のプログラム。
【請求項８】  所定の通信媒体を介してホストコンピュータから受信した印刷データに基づいて画像データを生成し、用紙の中央部を綴じる中綴じ処理が可能なオプション排紙装置が接続されている印刷装置に画像データを出力する画像処理装置に設けられたコンピュータを、
前記印刷データに、当該画像処理装置内で前記印刷データのページ順を変更し該変更した複数ページ分の画像を用紙の片面毎に印刷するための画像データを生成する製本指定がされているか否かを判断する判断手段、
前記判断手段により前記印刷データに前記製本指定がされていると判断された場合と前記印刷データに前記製本指定がされていないと判断された場合とで、異なる算出方法を用いて前記印刷装置で出力される前記印刷データの１部あたりの出力枚数を算出する算出手段として機能させるためのプログラムを記録したコンピュータ読み取り可能な記憶媒体。
【請求項９】  前記画像処理装置に設けられたコンピュータを、さらに、
前記画像処理装置に設けられたメモリに保持されている前記オプション排紙装置の前記中綴じ処理における出力可能枚数と、前記算出手段により算出された印刷データの１部あたりの出力枚数を比較する比較手段、
前記比較手段による比較の結果、前記算出手段により算出された前記出力枚数が前記メモリに保持される前記出力可能枚数を超える場合、出力用紙の排紙先として前記中綴じ処理を行う排紙先以外を選択するように制御する第１の制御手段、
前記比較手段による比較の結果、前記算出手段により算出された前記出力枚数が前記メモリに保持される前記出力可能枚数を超える場合、前記中綴じ処理のための用紙中央余白を出力画像に付加する中央余白処理を行わないように制御する第２の制御手段として機能させるための請求項８に記載のコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、ホストコンピュータから送られる印刷データに基づいて画像データを生成し、印刷装置に画像データを出力する画像処理装置、特に、中綴じ製本処理が可能なオプション排紙装置が接続されている印刷装置の画像処理装置、および画像処理装置の制御方法およびプログラムおよび記憶媒体に関するものである。
【手続補正３】
【補正対象書類名】明細書
【補正対象項目名】００１７
【補正方法】変更
【補正の内容】
【００１７】
本発明は、上記の問題点を解決するためになされたもので、本発明の目的は、製本処理が指定された印刷データに対して、出力する総ページに対する総印刷枚数を正確に把握して製本処理を適切に行うことができる仕組を提供することである。
【手続補正４】
【補正対象書類名】明細書
【補正対象項目名】００１８
【補正方法】変更
【補正の内容】
【００１８】
【課題を解決するための手段】
本発明は、所定の通信媒体を介してホストコンピュータから受信した印刷データに基づいて画像データを生成し、用紙の中央部を綴じる中綴じ処理が可能なオプション排紙装置が接続されている印刷装置に画像データを出力する画像処理装置であって、前記印刷データに、当該画像処理装置内で前記印刷データのページ順を変更し該変更した複数ページ分の画像を用紙の片面毎に印刷するための画像データを生成する製本指定がされているか否かを判断する判断手段と、前記判断手段により前記印刷データに前記製本指定がされていると判断された場合と前記印刷データに前記製本指定がされていないと判断された場合とで、異なる算出方法を用いて前記印刷装置で出力される前記印刷データの１部あたりの出力枚数を算出する算出手段とを有することを特徴とする。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００９０
【補正方法】変更
【補正の内容】
【００９０】
【発明の効果】
以上説明したように、本発明によれば、製本処理が指定された印刷データに対して、出力する総ページに対する総印刷枚数を正確に把握することができる。
【手続補正１４】
【補正対象書類名】明細書
【補正対象項目名】００９１
【補正方法】削除
【補正の内容】
【手続補正１５】
【補正対象書類名】明細書
【補正対象項目名】００９２
【補正方法】削除
【補正の内容】